(57)【要約】      （修正有）【課題】連結軸部及び固定孔部の間に衝突や摩擦が発生して、摩耗が進行した場合であっても、固定孔部と連結軸部とのガタつきを抑えて、安定した均平作業が行える折り畳み農作業機を提供する。【解決手段】締結部材６２の操作により、第２整地板１６に対する連結板６０の高さを当初位置に比べて、下方に移動することが可能となっている。つまり、固定孔部７６の面積が当初よりも拡がってしまった場合でも、締結部材６２の操作により、連結板６０を下方（図中矢印Ｄ）に向けて移動することができ、このため、固定孔部７６が下方に移動することとなって連結軸部の上方への揺れ動きを抑えることができる。【選択図】図８
2014050358.tif 000002
【特許請求の範囲】
【請求項１】
耕耘作業を行う耕耘体及び該耕耘体の後方位置に上下方向に回動可能に位置して整地作業を行う第１整地板及び該第１整地板の後方位置に上下方向に回動可能に位置して整地作業を行う第２整地板を有する作業機本体と、該作業機本体の幅方向端部に折り畳み可能に回動自在に設けられ、前記耕耘体の作業幅を延長する延長耕耘体及び該延長耕耘体の後方位置に上下方向に回動可能に位置して整地作業を行う第１延長整地板及び該第１延長整地板の後方位置に上下方向に回動可能に位置して整地作業を行う第２延長整地板を有する延長作業体と、を備えた折り畳み農作業機であって、
前記延長作業体が展開状態となり、前記第２整地板の端部と前記第２延長整地板の端部とが対向する位置関係となった状態において、
対向する前記第２整地板の端部又は前記第２延長整地板の端部のいずれか一方に設けられた固定孔部に向けて、該固定孔部が設けられていない前記第２整地板の端部又は前記第２延長整地板の端部のいずれか一方に設けられた連結軸部が、付勢ばねの付勢力によって進入することで、前記第２整地板の端部と前記第２延長整地板の端部とが連結され、
前記固定孔部は、上下方向における位置を調整可能に固定されている連結板に施されていることを特徴とする折り畳み農作業機。
【請求項２】
対向する前記第２整地板の端部又は前記第２延長整地板の端部のいずれか一方には、前記連結板が上下方向における位置を調整可能に締結部材によって固定される、取付け座を有していることを特徴とする請求項１に記載の折り畳み農作業機。
【発明の詳細な説明】
【技術分野】
【０００１】
本発明は、土を耕す耕耘体を有するとともに、左右の幅方向において該耕耘体の作業の幅を調整可能に、延長作業体を折り畳むことができる折り畳み農作業機に関する。
【背景技術】
【０００２】
従来、トラクタ等の走行機体の後部に昇降可能に連結され、土を耕す耕耘体及び耕耘された土を均す均平板を備えるとともに、幅方向において中央に位置する作業機本体の左右両端部に、折り畳み状態及び展開状態となるように延長作業体を回動可能に備える折り畳み農作業機が周知となっている。
【０００３】
そして、延長作業体の均平板の幅方向の端部に、該幅方向に移動可能に支持された連結軸部（連結ピン）を設ける一方、作業機本体の該幅方向の端部には、該連結軸部の挿通が可能な固定孔部を設け、延長作業体が展開状態となって、作業機本体の均平板の端部と延長作業体の均平板の端部とが対向する位置関係となった際に、作業機本体の固定孔部に向けて、延長作業体の連結軸部が付勢手段の付勢力によって進入することで、作業機本体の均平板の端部と延長作業体の均平板の端部とが連結される構成が知られている（特許文献１及び２）
【先行技術文献】
【特許文献】
【０００４】
【特許文献１】特許第４００８７４２号
【特許文献２】特許第４７５４９７１号
【発明の概要】
【発明が解決しようとする課題】
【０００５】
延長作業体を展開状態として農作業を行うにつれ、互いに連結されている連結軸部及び固定孔部の間に小さな衝突や摩擦が発生し、その衝突等の影響によって摩耗が進行することとなり、次第に連結軸部は細くなり、固定孔部は当初よりも拡がってしまう。
【０００６】
土を均す均平作業中において、圃場の田面から受ける抵抗や凹凸等の影響により、延長作業体に配設された均平板による上方への揺れ動きが頻繁に発生することとなり、固定孔部の上方の縁と連結軸部との衝突が頻繁に発生してしまう。
【０００７】
このため、度重なる作業によって固定孔部の上方の縁が削れてしまい、固定孔部の大きさが当初よりも拡がることから、次第に固定孔部と連結軸部との互いの位置関係が定まらなくなり、作業中に、固定孔部と連結軸部との小さな衝突（以下「ガタつき」という。）がより多く発生してしまうといった問題があった。
【０００８】
さらに、固定孔部と連結軸部との互いの位置関係が定まらないことから、作業機本体の均平板の端部と延長作業体の均平板の端部との土面に対する高さ関係も定まらなくなり、均平性能が低下するだけでなく圃場での作業を終えた際に、それら両方の端部の境目が通る土面上に、筋を残してしまうといった問題もあった。
【０００９】
本発明は、このような問題に鑑みてなされたものであり、連結軸部及び固定孔部の間に衝突や摩擦が発生して、摩耗が進行した場合であっても、固定孔部と連結軸部とのガタつきを抑えて、安定した均平作業が行え、さらに、土面上に筋を残すことのない折り畳み農作業機を提供することを目的とする。
【課題を解決するための手段】
【００１０】
上記目的を達成するために本発明の折り畳み農作業機は、耕耘作業を行う耕耘体及び該耕耘体の後方位置に上下方向に回動可能に位置して整地作業を行う第１整地板及び該第１整地板の後方位置に上下方向に回動可能に位置して整地作業を行う第２整地板を有する作業機本体と、該作業機本体の幅方向端部に折り畳み可能に回動自在に設けられ、前記耕耘体の作業幅を延長する延長耕耘体及び該延長耕耘体の後方位置に上下方向に回動可能に位置して整地作業を行う第１延長整地板及び該第１延長整地板の後方位置に上下方向に回動可能に位置して整地作業を行う第２延長整地板を有する延長作業体と、を備えた折り畳み農作業機であって、前記延長作業体が展開状態となり、前記第２整地板の端部と前記第２延長整地板の端部とが対向する位置関係となった状態において、対向する前記第２整地板の端部又は前記第２延長整地板の端部のいずれか一方に設けられた固定孔部に向けて、該固定孔部が設けられていない前記第２整地板の端部又は前記第２延長整地板の端部のいずれか一方に設けられた連結軸部が、付勢ばねの付勢力によって進入することで、前記第２整地板の端部と前記第２延長整地板の端部とが連結され、前記固定孔部は、上下方向における位置を調整可能に固定されている連結板に施されていることを特徴とする（請求項１）。
【００１１】
また、本発明における対向する前記第２整地板の端部又は前記第２延長整地板の端部のいずれか一方には、前記連結板が上下方向における位置を調整可能に締結部材によって固定される、取付け座を有していることを特徴とする（請求項２）。
【発明の効果】
【００１２】
本発明に係わる折り畳み農作業機によれば、上記特徴を有することで、連結軸部及び固定孔部の間に衝突や摩擦が発生して、摩耗が進行した場合であっても、固定孔部と連結軸部とのガタつきを抑えて、安定した均平作業が行え、さらに、土面上に筋を残すことのない折り畳み農作業機を提供することができる。
【図面の簡単な説明】
【００１３】
【図１】本発明の一実施の形態に係わる代かき用の折り畳み農作業機の平面図を示す。
【図２】この折り畳み農作業機に設けられた回動規制手段の斜視図を示す。
【図３】回動規制手段の作動を説明するための部分断面図を示す。
【図４】回動規制手段の作動を説明するための部分断面図を示す。
【図５】連結板を示し、同図（ａ）は連結板の側面図を、同図（ｂ）は平面図を、同図（ｃ）は連結板の正面図を示す。
【図６】連結板が固定される取付け座が設けられた第２整地板の部分平面図を示す。
【図７】連結板が取付け座に固定された第２整地板の部分平面図を示す。
【図８】連結板が取付け座に固定された状態及び固定孔部が摩耗した状態を示す。
【図９】延長作業体が折り畳み姿勢にあるときの折り畳み農作業機の側面図を示す。
【図１０】回動規制が解除された第２延長整地体の背面図を示す。
【発明を実施するための形態】
【００１４】
以下、本発明の折り畳み農作業機の好ましい実施の形態を図１から図１０に基づいて説明する。本実施の形態は、折り畳み農作業機のうち代かき用の折り畳み農作業機を例にして、以下説明する。なお、説明の都合上、図１（平面図）に示す矢印の方向を前後方向及び左右方向として、以下説明する。
【００１５】
折り畳み農作業機１は、図１に示すように、走行機体９０の後部に装着されて走行機体９０の走行とともに進行して代かき作業を行うものであり、左右方向の中央部に配置された作業機本体１０と、この左右両端部に上下方向に回動可能に取り付けられた延長作業体左３０，延長作業体右３０と、延長作業体左３０，延長作業体右３０の左右方向の外側端部に上下方向に回動可能に取り付けられた延長補助整地板５０とを備え、作業機本体１０，延長作業体左３０，延長作業体右３０によって３分割構造になっている。
【００１６】
作業機本体１０の前部には、走行機体９０の後部に設けられた３点リンク連結機構に連結される連結部が設けられており、折り畳み農作業機１は、この連結部によって昇降可能に連結される。また、作業機本体１０の前部にはギアボックス１２が設けられ、走行機体９０のＰＴＯ軸からの動力がユニバーサルジョイント等の動力伝達手段を介してギアボックス１２に伝達されるようになっている。
【００１７】
作業機本体１０は、耕耘作業を行うロータリ等の図示省略の耕耘体を有し、この耕耘体の上方がカバー体１３によって覆われている。このカバー体１３の後端部には、耕耘体の後方位置に上下方向に回動可能に取り付けられて整地作業を行う略板状の第１整地板１５が設けられ、第１整地板１５の後端部には、前端部が枢結されて上下方向に回動可能な略板状の第２整地板１６が設けられている。なお、以下の説明の便宜上、この第１整地板１５及び第２整地板１６を併せて整地体１４と表現する。
【００１８】
以下、延長作業体左３０，延長作業体右３０は、左右対称の構造を有しているので、主に延長作業体右３０について説明し、延長作業体左３０については、延長作業体右３０と対応する部分については対応する符号を付して説明も省略する。
【００１９】
ここで、延長作業体右３０は、作業機本体１０の耕耘体の作業幅を右側方に延長するロータリ等の図示省略の延長耕耘体と、該延長耕耘体の後方位置に上下方向に回動可能に位配置されて整地作業を行う延長整地体右３１を有してなる。延長耕耘体の上方は延長カバー体右３５によって覆われている。
【００２０】
延長整地体右３１は、延長カバー体右３５の後端部に上下方向に回動可能に取り付けられて整地作業を行う略板状の部材である。この延長整地体右３１は延長作業体右３０の展開姿勢時に整地体１４の外端部に接合してこの整地体１４と連結され、延長作業体右３０の折り畳み姿勢時には整地体１４の外端部から離反してこの整地体１４との接合が解除されるようになっている。
【００２１】
延長整地体右３１は、延長カバー体右３５の後端部に前端部が枢結されて上下方向に回動可能な略板状の第１延長整地板右３２と、第１延長整地板右３２の後端部に前端部が枢結されて上下方向に回動可能な略板状の第２延長整地板右３３とを有して構成されている。
【００２２】
また、延長整地体右３１の第２延長整地板右３３の外端部には、上下方向に回動可能に取り付けられた延長補助整地板５０が設けられている。この延長補助整地板５０は、第２延長整地板右３３の表側の外端部に設けられた枢支軸３４を回動中心として回動可能であり、展開状態時には対応する第２延長整地板右３３の外側に延びて第２延長整地板右３３の整地作業を補助し、折り畳んだ状態（不使用状態）時には第２延長整地板右３３の表面側に折り畳まれて第２延長整地板右３３と重なった状態となる。
【００２３】
また、第２延長整地板右３３及び第２整地板１６には、図２（斜視図）に示すように、延長作業体右３０の回動に連動して、第２整地板１６と第２延長整地板右３３とを連結及び連結解除するとともに、第１延長整地板右３２に対する第２延長整地板右３３の回動を規制する回動規制手段７０が設けられている。この回動規制手段７０は、第２延長整地板右３３の表側の内端部に左右方向に移動自在に支持された軸本体部７１と、この軸本体部７１の第２整地板側に一体的に設けられた連結軸部７２及び回動規制軸部７３と、軸本体部７１を第２整地板側に付勢する付勢ばね７４と、第１延長整地板右３２の第１整地板側端部から第２延長整地板右側に延びる側板部３２ａの先端部に設けられて回動規制軸部７３を係止して第２延長整地板右３３の回動を規制する係止凹部７５と、第２整地板１６の第２延長整地板右側端部に設けられて連結軸部７２と嵌合して第２延長整地板右３３と第２整地板１６を一体的に連結する固定孔部７６とを有してなる。
【００２４】
連結軸部７２は、軸本体部７１から第２整地板１６側へ延びる。回動規制軸部７３は軸本体部７１の先端部から第２整地板１６側へ連結軸部７２に沿って第２整地板１６側に延びる。連結軸部７２は溶接等によって軸本体部７１に一体的に取り付けられている。
【００２５】
係止凹部７５は、図３（ｂ）（部分断面図）に示すように、側板部３２ａの先端側上部であって第２延長整地板右３３の回動中心Ｏを回動支点として回動する回動規制軸部７３の移動軌跡内に設けられている。この係止凹部７５は、略Ｕ字状に形成され、回動規制軸部７３における第２延長整地板右３３の回動方向一方側端部及び他方側端部と当接する第１係止面７５ａ及び第２係止面７５ｂを有している。第１係止面７５ａと第２係止面７５ｂは対向配置され、これら係止面間の距離は回動規制軸部７３の直径より僅かに大きくなって、係止凹部７５内への回動規制軸部７３の挿入を容易にしている。このように、回動規制軸部７３が係止凹部７５内に挿入されると、回動規制軸部７３は第１係止面７５ａ及び第２係止面７５ｂに当接することで軸に対する垂直方向の移動が規制されて、第１延長整地板右３２に対する第２延長整地板右３３の回動を規制することができる。
【００２６】
固定孔部７６は、第２整地板１６の第２延長整地板右側の端部から第２整地板１６の表側へ延びる連結板６０の上部であって第２延長整地板右３３の回動中心Ｏを回動支点として回動する連結軸部７２の移動軌跡上に設けられている。この固定孔部７６は、長孔状に形成されている。固定孔部７６の短手方向の長さは連結軸部７２が挿抜可能に嵌合できる大きさを有している。このため、固定孔部７６に連結軸部７２が嵌合すると、第２整地板１６と第２延長整地板右３３とを連結するとともに、第２整地板１６に対して第２延長整地板右３３を位置決めすることができる。
【００２７】
また、固定孔部７６は、図４（部分断面図）に示すように、回動規制軸部７３が係止凹部７５に挿入されて第２延長整地板右３３の回動が規制された状態で延長作業体右３０が展開姿勢側に回動して展開姿勢の直前位置に移動すると、連結軸部７２の先端部が固定孔部７６より上方の連結板６０に当接する位置に配設されている。このため、延長作業体右３０が展開姿勢の直前位置からさらに展開姿勢側に回動すると、先ず、連結軸部７２の先端部が連結板６０に当接することでわずかに連結軸部７２は第２延長整地板右３３の幅方向外側へ移動する。これと同時に連結軸部７２と一体構造の回動規制軸部７３が係止凹部７５から外れて第２延長整地板右３３の回動規制が解除され、第２延長整地板右３３は回動中心Ｏを回動支点として下方へ回動する。するとまもなく第２整地板１６側へ付勢されて連結板６０上を摺動する連結軸部７２が固定孔部７６へ嵌挿されて第２延長整地板右３３と第２整地板１６が連結される。
【００２８】
また、図１に示すように、延長作業体右３０を展開し第２整地板１６と第２延長整地板右３３を連結した状態時においては、互いに連結されて一体化した第２整地板１６及び第２延長整地板右３３は、作業機本体１０のカバー体１３の中央部に設けられた切換手段２０を介して支持されており、この切換手段２０によって両整地板（１６、３３）が通常作業姿勢及び土寄せ作業姿勢に切り換え可能になっている。
【００２９】
なお、通常作業姿勢は、図３（ａ）（側面図）に示すように、互いに連結されて一体化した第２整地板１６及び第２延長整地板右３３が圃場の凹凸に応じて上下方向に回動可能な代掻き作業姿勢であり、この代掻き作業姿勢では第２整地板１６及び第２延長整地板右３３は水平面に略沿った状態になる。また土寄せ作業姿勢は、図３（ａ）の二点鎖線で示すように、互いに連結されて一体化した第２整地板１６及び第２延長整地板右３３を下方側へ回動した後、固定し、上方への回動を規制して代掻き土壌の土寄せ等を行うことができる作業姿勢である。これらの作業姿勢の選択は、図１に示す走行機体９０に搭乗した作業者が運転状態のままで操作可能になっている。
【００３０】
次に、本願発明の特徴的な構成である連結板６０の構成について、図１及び図５を参照しながら説明する。本実施形態において連結板６０は、作業機本体１０の左右両端に装着されており、左右対称の構造を有しているため、以下、主に作業機本体１０の右側端部に装着されている連結板６０について説明することとする。
【００３１】
ここで、図５（ａ）は、図１に示す折り畳み農作業機１の幅方向右側に延出している第２延長整地板右３３が接続される第２整地板１６の右側端部に固定されている連結板６０の側面図であり、図５（ｂ）は連結板６０の平面図であり、図５（ｃ）は図５（ａ）における連結板６０の正面図である。
【００３２】
図５（ａ）、図５（ｂ）、図５（ｃ）に示すように、連結板６０には、第２延長整地板右３３に設けた連結軸部７２の先端部が挿入される固定孔部７６が設けられている。
そして、第２整地板１６に設けてある取付け座８０に装着される締結片６３が、連結板６０の片一方の側面から延在して設けられ、ボルト等の締結部材６２によって該締結片６３を取付け座８０に固定するための長孔状の締結孔６１が、該締結片６３に施されている。
【００３３】
また、連結板６０の形状は、図３（ｂ）を参照して第２延長整地板右３３の回動について先述したように、連結軸部７２の移動軌跡に沿った円弧状に延びた形状となっている。そして、固定孔部７６は、連結板６０の表面上を円弧状に回動する連結軸部７２を嵌合させるため、その回動軌跡の半径方向の変動があった際にも確実に嵌合させるべく、その回動軌跡と垂直な方向を長手形状に施され、連結軸部７２が嵌合した際にその回動軌跡の方向へのガタつきを防止するため、その回動軌跡の方向については短手形状に施されて設けられている。
【００３４】
図６は、第２整地板１６の端部に配設されるとともに連結板６０が固定される取付け座８０を真上から見た外観図（部分平面図）を示しており、取付け座８０の略中心には、後述する押しボルト６５が螺入可能な押しボルト螺入孔６６が施されている。
【００３５】
ここで、図６にて示した取付け座８０に、連結板６０を固定した構成について、図７を参照しながら説明する。連結板６０は、図７に示す通り、二枚の締結片６３によって取付け座８０を挟持するとともに、二枚の締結片６３に施された長孔状の締結孔６１のそれぞれに締結部材６２を螺入することで、取付け座８０に固定されている。
【００３６】
次に、図７に示す図中矢印Ｌの方向からみた外観図を示す図８（ａ）を参照しながら、取付け座８０に連結板６０を固定した状態について、より具体的に説明する。
図８（ａ）に示す通り、締結部材６２が螺入する長孔状の締結孔６１は、その長手方向の長さが、締結部材６２の螺入部分の太さよりも大きく施されており、締結部材６２を緩め、押しボルト６５の操作により、第２整地板１６に対する連結板６０の高さを調整することができる。
【００３７】
ここで、先述した通り、固定孔部７６に連結軸部７２が挿入されて、作業機本体１０の第２整地板１６の端部と延長作業体右３０の第２延長整地板右３３の端部とが連結された展開状態において、連結軸部７２及び固定孔部７６の度重なる衝突による摩耗が進行して、固定孔部７６の上方が削れた状態について、図８（ｂ）を参照しながら説明する。
【００３８】
固定孔部７６に連結軸部７２が挿入された状態において、連結軸部７２が土面からの影響を受けて上方へ揺れ動くと、連結軸部７２と固定孔部７６との衝突が頻繁に発生することとなり、この影響により、図８（ｂ）に摩耗ラインＫとして示すように、当初の縁（図中Ｓ参照）に対して固定孔部７６の上方の縁が削れ、固定孔部７６の面積が広がることとなる。
【００３９】
図８（ｃ）に示す通り、本願発明においては、締結部材６２と押しボルト６５の操作により、第２整地板１６に対する連結板６０の高さを図８（ａ）に示した当初位置に比べて、下方に移動することが可能となっている。
【００４０】
つまり、本願発明によれば、固定孔部７６の面積が当初よりも拡がってしまった場合でも、締結部材６２と押しボルト６５の操作により、連結板６０を下方（図中矢印Ｄ）に向けて移動することができ、このため、固定孔部７６が下方に移動することとなって連結軸部７２の上方への揺れ動きを抑えることができる。
【００４１】
また、図１にて先述した通り、作業機本体１０の第２整地板１６においては、切換手段２０によって下方への押圧力が常に働いているため、圃場表面に凹凸があった場合でも、上方に激しく揺れ動くことは無い。
【００４２】
このため、上方への揺れ動きが頻繁に発生してしまう第２延長整地板右３３の連結軸部７２に対して、切換手段２０によって下方への押圧力が働いている第２整地板１６の固定孔部７６を下方へ移動させることで、効果的に、第２延長整地板右３３の上方への揺れ動きを抑制することができる。
【００４３】
よって、本願発明によれば、第２延長整地板右３３の上方への揺れ動きを極力抑えることができ、作業中において圃場表面に凹凸があった場合でも、作業機本体１０の第２整地板１６と、延長作業体右３０の第２延長整地板右３３との高さ関係を略同じ状態に維持でき、それら両方の境目が通る土面上に筋を残すことなく、均平に仕上げることができる。
【００４４】
なお、本実施形態においては、図８（ａ）及び（ｃ）に示す通り、取付け座８０に連結板６０を固定した状態において、連結板６０の片一方の側面から延在して設けられた押しボルト当接部６４に対して、上方から、押しボルト螺入孔６６を介して押しボルト６５が当接するように固定されている。
【００４５】
このため、作業中において、第２延長整地板右３３が圃場表面の石片等を踏みつけて上方に激しく跳ね上がるような状況であっても、第２延長整地板右３３の連結軸部７２が固定孔部７６の上方の縁に衝突することによる過大な負荷を、二本の締結部材６２と押しボルト６５との協働により分散させることができる構成となっている。
【００４６】
次に、本実施形態における折り畳み農作業機１の動作について説明する。
先ず、図１に示すように、最大の作業幅で代かき作業を行う場合には、左右両側の延長作業体左３０，延長作業体右３０を展開するとともに、左右両側の延長補助整地板５０，５０を展開姿勢にし、且つ第２整地板１６を通常作業姿勢にする。そして、農作業機全体を３点リンク連結機構によって所望位置まで降下させて、代かき作業を行う。詳細は後述するが、延長作業体左３０，延長作業体右３０を展開姿勢にすると、第２延長整地板右３３と第２整地板１６（第２延長整地板右３３と第２整地板１６）は連結されて一体化する。
【００４７】
また、中央の作業機本体１０のみで作業をする場合や、中央の作業機本体１０と左右いずれかの延長作業体左３０，延長作業体右３０で作業をする場合には、図９（側面図）に示すように、延長作業体左３０，延長作業体右３０を折り畳み姿勢にする必要がある。なお、図９は延長作業体左３０，延長作業体右３０を折り畳み姿勢にした折り畳み農作業機１をキャスタスタンド８５に設置した状態の側面図を示している。
【００４８】
これらの場合には、先ず、延長補助整地板５０，５０を折り畳み姿勢（不使用状態）にした上で展開姿勢にある延長作業体左３０，延長作業体右３０を折り畳み側に回動させる。延長作業体左３０，延長作業体右３０が回動すると、連結軸部７２が固定孔部７６から抜脱されて両整地板（１６、３３）の連結状態が解除される。
【００４９】
両整地板（１６、３３）の連結状態が解除されると、図３（ｂ）及び図１０（背面図）に示すように、第２延長整地板右３３は自重により回動中心Ｏを回動支点として下方へ回動し、第２延長整地板右３３の基部が第１延長整地板右３２の側板部３２ａに設けた移動規制部材３６に当接して回動が規制されて下方に向いた姿勢になる。そして、延長作業体右３０を折り畳み側（上側）に回動させると、回動規制軸部７３はその先端部が側板部３２ａに当接しながら係止凹部７５側に移動して係止凹部７５に突入して係止されて、第２延長整地板右３３は回動規制された状態になる。そして、第２延長整地板右３３の回動が規制された状態で、延長作業体右３０が更に折り畳み姿勢側に回動すると、図９に示すように、延長作業体右３０は折り畳み姿勢になり、第２延長整地板右３３は先端が下方へ向いた姿勢になる。
【００５０】
一方、折り畳み姿勢にある延長作業体右３０を展開姿勢側に回動させる場合、図４に示すように、回動規制軸部７３は係止凹部７５に係止されているので、第２延長整地板右３３は回動規制された状態に維持されている。このような状態で延長作業体右３０が展開姿勢の直前位置に移動すると、連結軸部７２が連結板６０に当接して付勢ばねの付勢力に抗して連結軸部７２が第２整地板１６から離反する方向に移動して、回動規制軸部７３が係止凹部７５から抜脱されて、第２延長整地板右３３の回動規制が解除される。そして、第２延長整地板右３３は回動中心Ｏを回動支点として下方へ回動する。するとまもなく第２整地板１６側へ付勢されて連結板６０上を摺動する連結軸部７２が固定孔部７６へ嵌挿されて第２延長整地板右３３と第２整地板１６が連結される。
【００５１】
なお、連結軸部７２は、延長作業体右３０が展開姿勢側に回動して展開姿勢の直前位置に移動したときに、連結軸部７２の先端部が固定孔部７６より下方の連結板６０に当接するようにしてもよい。この場合には、作業を開始すると、その接地圧により第２延長整地板右３３はやがて上方へ回動して第２整地板１６側へ付勢されて連結板６０上を摺動する連結軸部７２が固定孔部７６へ嵌挿されて第２延長整地板右３３と第２整地板１６が一体化する。
【００５２】
また、前述した実施例では、第２延長整地板右３３及び第２延長整地板左３３の端部に連結軸部７２が設けられ、第２整地板１６の左右の両端部に固定孔部７６が施された連結板６０を位置調整可能に設けた場合を示したが、これに限らず、連結軸部７２と連結板６０とを設けた位置が逆であっても構わない。
【００５３】
つまり、展開姿勢において、固定孔部７６に連結軸部７２が挿通することで、第２延長整地板右３３及び第２延長整地板左３３の端部と、第２整地板１６の左右の両端部とが連結される構成であるかぎり、固定孔部７６が施された連結板６０を第２延長整地板右３３及び第２延長整地板左３３の端部に設け、連結軸部７２を第２整地板１６の左右の両端部に設けた構成としても良い。
【符号の説明】
【００５４】
１  折り畳み農作業機
１０  作業機本体
１４  整地体
１５  第１整地板
１６  第２整地板
３０  延長作業体左，延長作業体右
３２  第１延長整地板左，第１延長整地板右
３３  第２延長整地板左，第２延長整地板右
６０  連結板
６１  締結孔
６２  締結部材
６３  締結片
６４  押しボルト当接部
６５  押しボルト
６６  押しボルト螺入孔
７０  第２回動規制手段（回動規制手段）
７１  軸本体部
７２  連結軸部
７３  回動規制軸部
７４  付勢ばね
７５  係止凹部
７５ａ  第１係止面
７５ｂ  第２係止面
７６  固定孔部
８０  取付け座
【図１】
2014050358.tif 000003
【図２】
2014050358.tif 000004
【図３】
2014050358.tif 000005
【図４】
2014050358.tif 000006
【図５】
2014050358.tif 000007
【図６】
2014050358.tif 000008
【図７】
2014050358.tif 000009
【図８】
2014050358.tif 000010
【図９】
2014050358.tif 000011
【図１０】
2014050358.tif 000012